(57)【要約】【課題】所望のコンテンツを迅速かつ容易に検索する。【解決手段】実施形態のコンテンツ検索装置の検索条件生成部は、コンテンツの検索指示のための自然言語音声の入力と並行して音声認識を行い検索条件を逐次生成する。検索部は、検索条件の生成に伴って検索に用いる検索条件を更新しつつコンテンツ検索を行う。これらの結果、検索結果表示部は、検索条件の生成に伴って、コンテンツ検索に用いた検索条件及び当該検索条件に基づくコンテンツ検索の結果を更新しつつ表示する。【選択図】図１
2014109889.tif 000002
【特許請求の範囲】
【請求項１】
コンテンツの検索指示のための自然言語音声の入力と並行して音声認識を行い検索条件を逐次生成する検索条件生成部と、
前記検索条件の生成に伴って検索に用いる前記検索条件を更新しつつコンテンツ検索を行う検索部と、
前記検索条件の生成に伴って、前記コンテンツ検索に用いた検索条件及び当該検索条件に基づく前記コンテンツ検索の結果を更新しつつ表示する検索結果表示部と、
を備えたコンテンツ検索装置。
【請求項２】
前記検索条件生成部は、前記自然言語音声の音声認識を行ってテキストデータを出力する音声認識部と、
前記テキストデータを解析して、前記検索条件を生成する解析生成部と、
を備えた請求項１記載のコンテンツ検索装置。
【請求項３】
前記検索条件生成部は、前記コンテンツ検索に用いた検索条件と置き換えるべき新たな検索条件が生成された場合に、前記コンテンツ検索に用いる検索条件の一部を前記新たな検索条件で置き換える、
請求項１又は請求項２記載のコンテンツ検索装置。
【請求項４】
前記表示されている前記コンテンツ検索に用いた検索条件のいずれかを指定する検索条件指定手段と、
前記指定された検索条件を新たに生成された検索条件に置換する検索条件置換部と、
を備えた請求項１乃至請求項３のいずれかに記載のコンテンツ検索装置。
【請求項５】
前記検索結果表示部の表示画面は、前記コンテンツ検索に用いた検索条件を表示する検索条件表示領域と、
前記コンテンツ検索の結果を前記コンテンツ検索に用いた検索条件に対応付けて表示するコンテンツ検索結果表示領域と、
を備えた請求項１乃至請求項４のいずれかに記載のコンテンツ検索装置。
【請求項６】
前記検索結果表示部は、前記コンテンツ検索に用いた検索条件の履歴を表示する、
請求項１乃至請求項５のいずれかに記載のコンテンツ検索装置。
【請求項７】
前記検索結果表示部は、前記コンテンツ検索の結果を表示するに際し、全ての検索条件を満たしているか否かに基づいて表示態様を異ならせる、
請求項１乃至請求項６のいずれかに記載のコンテンツ検索装置。
【請求項８】
表示サイズを異ならせることにより、強調表示を行うか否かにより、あるいは、淡色表示を行うか否かのいずれかにより前記表示態様を異ならせる、
請求項７記載のコンテンツ検索装置。
【請求項９】
検索結果表示部において表示された前記コンテンツ検索結果のうち、いずれかを選択する選択操作を行う選択操作部を備え、
前記検索部は、前記選択操作部において、いずれかの前記コンテンツ検索結果の選択がなされた場合に、コンテンツ検索処理を終了する、
請求項１乃至請求項８のいずれかに記載のコンテンツ検索装置。
【請求項１０】
前記選択操作部及び前記検索結果表示部は、タッチパネルディスプレイとして構成されており、
前記タッチパネルディスプレイの表示画面上で、いずれかのコンテンツ検索結果の選択操作がなされた場合に、選択された前記コンテンツ検索結果に対応するコンテンツの再生指示信号を制御対象機器に出力する再生指示部を備えた、
請求項９記載のコンテンツ検索装置。
【請求項１１】
コンテンツの検索を行うコンテンツ検索装置で実施されるコンテンツ検索方法であって、
コンテンツの検索指示のための自然言語音声の入力と並行して音声認識を行い検索条件を逐次生成する検索条件生成過程と、
前記検索条件の生成に伴って検索に用いる前記検索条件を更新しつつコンテンツ検索を行う検索過程と、
前記検索条件の生成に伴って、前記コンテンツ検索に用いた検索条件及び当該検索条件に基づく前記コンテンツ検索の結果を更新しつつ表示する検索結果表示過程と、
を備えたコンテンツ検索方法。
【請求項１２】
コンテンツの検索を行うコンテンツ検索装置をコンピュータにより制御する制御プログラムであって、
前記コンピュータを、
コンテンツの検索指示のための自然言語音声の入力と並行して音声認識を行い検索条件を逐次生成する検索条件生成手段と、
前記検索条件の生成に伴って検索に用いる前記検索条件を更新しつつコンテンツ検索を行う検索手段と、
前記検索条件の生成に伴って、前記コンテンツ検索に用いた検索条件及び当該検索条件に基づく前記コンテンツ検索の結果を更新しつつ表示する検索結果表示手段と、
して機能させる制御プログラム。
【発明の詳細な説明】
【技術分野】
【０００１】
本発明の実施形態は、コンテンツ検索装置、コンテンツ検索方法及び制御プログラムに関する。
【背景技術】
【０００２】
従来、音声認識を行って、入力音声から一または複数のキーワードを抽出し、抽出した全てのキーワードにしたがって、情報データベースを検索する情報検索装置が知られている（例えば、特許文献１参照）。
【先行技術文献】
【特許文献】
【０００３】
【特許文献１】特開２００２−２６９１４６号公報
【発明の概要】
【発明が解決しようとする課題】
【０００４】
上記従来の情報検索装置においては、発話完了を待ってから情報データベースを検索する必要があった。
このため、結果として全てのキーワードを用いて、検索を行うこととなり、より正確な検索を行わせるための音声の入力が難しいとともに、一旦入力した音声の変更はできないため、誤った音声入力を行った場合には、全てやり直す必要があり、使い勝手があまり良くなかった。
【０００５】
そこで、本発明は、テレビなどのコンテンツ再生装置でコンテンツを再生させようとする場合に、所望のコンテンツを迅速かつ容易に検索することが可能なコンテンツ検索装置、コンテンツ検索方法及び制御プログラムを提供することを目的としている。
【課題を解決するための手段】
【０００６】
実施形態のコンテンツ検索装置の検索条件生成部は、コンテンツの検索指示のための自然言語音声の入力と並行して音声認識を行い検索条件を逐次生成する。
検索部は、検索条件の生成に伴って検索に用いる検索条件を更新しつつコンテンツ検索を行う。
これらの結果、検索結果表示部は、検索条件の生成に伴って、コンテンツ検索に用いた検索条件及び当該検索条件に基づくコンテンツ検索の結果を更新しつつ表示する。
【図面の簡単な説明】
【０００７】
【図１】図１は、実施形態のコンテンツ検索システムの概要構成説明図である。
【図２】図２は、タブレットの概要構成ブロック図である。
【図３】図３は、タブレットの機能ブロック図である。
【図４】図４は、実施形態の処理フローチャートである。
【図５】図５は、タッチパネルディスプレイにおける検索結果の表示例（その１）の説明図である。
【図６】図６は、タッチパネルディスプレイにおける検索結果の表示例（その２）の説明図である。
【図７】図７は、タッチパネルディスプレイにおける検索結果の表示例（その３）の説明図である。
【図８】図８は、タッチパネルディスプレイにおける検索結果の表示例（その４）の説明図である。
【図９】図９は、タッチパネルディスプレイにおける検索結果の表示例（その５）の説明図である。
【図１０】図１０は、検索途中で、再生操作に移行させる移行操作の一例の説明図である。
【図１１】図１１は、表示内容の更新態様（その１）の説明図である。
【図１２】図１２は、表示内容の更新態様（その２）の説明図である。
【図１３】図１３は、表示内容の更新態様（その３）の説明図である。
【図１４】図１４は、表示内容の更新態様（その４）の説明図である。
【図１５】図１５は、表示内容の更新態様（その５）の説明図である。
【図１６】図１６は、表示内容の更新態様（その６）の説明図である。
【図１７】図１７は、表示内容の更新態様（その７）の説明図である。
【発明を実施するための形態】
【０００８】
次に実施形態について図面を参照して説明する。
図１は、実施形態のコンテンツ検索システムの概要構成説明図である。
コンテンツ検索システム１０は、各種コンテンツを再生するコンテンツ再生装置として機能するテレビ１１と、入力音声の音声認識を行ってキーワードを抽出し、抽出したキーワードに従ってインターネット等の通信ネットワーク１２を介してＥＰＧ等のコンテンツデータベース（ＤＢ）１３にアクセスし、コンテンツ検索を行うコンテンツ検索装置として機能するとともに、コンテンツ検索結果に基づいてテレビ１１をコントロールしてコンテンツ再生を行わせるリモートコントロール装置として機能するタブレット１４と、を備えている。なお、本実施形態では、コンテンツ検索装置としての機能を全てタブレット１４が行う構成を例として述べているが、テレビ１１に音声認識、データベース格納、コンテンツ検索の機能を持たせるようにしたり、通信ネットワーク１２を介して接続されたさサーバに音声認識、データベース格納、コンテンツ検索の機能を持たせるようにしたり、様々な態様が可能である。
【０００９】
図２は、タブレットの概要構成ブロック図である。
タブレット１４は、タブレット１４全体を制御するＭＰＵ２１と、制御プログラム等の各種データを不揮発的に記憶するＲＯＭ２２と、各種データを一時的に記憶するＲＡＭ２３と、各種データを更新可能かつ不揮発的に記憶するフラッシュＲＯＭ２４と、音声信号処理等のディジタル信号処理を行うＤＳＰ２５と、入力された音声を変換して入力音声信号に変換するマイク２６と、マイク２６が出力した入力音声信号をアナログ／ディジタル変換して入力音声データとして出力するオーディオインタフェース（Ｉ／Ｆ）部２７と、各種情報を表示する液晶ディスプレイ等のディスプレイと各種入力操作を行うタッチパネルとが一体に形成されたタッチパネルディスプレイ２８と、半導体メモリカードＭＣが挿入されて各種データの読み出し／書き込み動作を行うメモリカードリーダライタ２９と、無線により通信を行う通信インタフェース部３０と、を備えている。
ここで、通信インタフェース部３０としては、通信ネットワーク１２を介した通信の他、赤外線等を用いて無線によりテレビ１１のリモートコントロールを行う機能も含まれている。
【００１０】
図３は、タブレットの機能ブロック図である。
タブレット１４は、マイク２６を介して入力された入力音声信号のフィルタリング、波形整形、アナログ／ディジタル変換等を行ってディジタル音声データに変換して出力する音声入力部３１と、ディジタル音声データが入力されて逐次音声認識処理を実行し、音声認識処理結果としての音声テキストデータを逐次出力する逐次音声認識部３２と、逐次音声認識部３２から音声テキストデータが入力されると、予めＲＯＭ２２あるいはフラッシュＲＯＭ２４に記憶されている検索条件辞書３３を参酌し、コンテンツ検索用の検索キーワードを抽出するとともに、抽出した検索キーワードに基づいて検索条件を生成する検索条件生成部３４と、検索条件生成部３４により生成された検索条件をＲＡＭ２３に格納する検索条件格納部３５と、検索条件格納部３５がＲＡＭ２３に格納した検索条件の集合を読み出して、通信ネットワーク１２を介してコンテンツデータベース１３にアクセスし、コンテンツ検索を行う検索部３６と、検索部３６における検索結果及び予め設定されている所定の表示フォーマットに従って表示装置として機能しているタッチパネルディスプレイ２８に表示するとともに、表示履歴をフラッシュＲＯＭ２４上に構築されている履歴管理データベース（ＤＢ）３７に格納する検索結果表示部３８と、を備えている。
【００１１】
図４は、実施形態の処理フローチャートである。
次に図４を参照してタブレット１４の動作を説明する。
まず、音声入力部３１は、マイク２６を介して、タブレット１４のユーザの音声をディジタル音声データとして取得し、逐次音声認識部３２として機能するＤＳＰ２５に出力する（ステップＳ１）。
【００１２】
続いて、逐次音声認識部３２として機能するＤＳＰ２５は、入力された発話音声に対して音声認識処理を行い、発話音声の内容を音声認識結果であるテキストデータとして出力する（ステップＳ２）。
【００１３】
ここで、逐次音声認識部３２として機能するＤＳＰ２５は、発話音声の全体が入力されてから音声認識結果を出力するのではなく、発話音声の一部分に対応する音声認識結果である部分音声認識結果を逐次的に順次出力する。
【００１４】
ここで、逐次音声認識処理について具体的に説明する。
以下においては、ユーザの発話音声が「日曜の夜のバラエティで、えーと、○○△△さんがでてるやつ」であった場合を例として説明する。
【００１５】
逐次音声認識部３２は、発話音声の先頭から音声認識処理を順次実行し、発話音声の入力が進むのに応じて部分音声認識結果「日曜の夜の」「バラエティで」「えーと」「○○△△さんがでてるやつ」を逐次出力する。このような部分音声認識結果を出力するタイミングとしては、音声認識処理の過程で信頼度の高い中間仮説が得られた場合や、発話中の短い休止（ポーズ）を検出した場合等が挙げられる。
【００１６】
検索条件生成部３４として機能するＭＰＵ２１は、ＲＯＭ２２あるいはフラッシュＲＯＭ２４に記憶されている検索条件辞書３３を参照し、解析生成部として入力された部分音声認識結果であるテキストデータを解析して検索条件を逐次的に生成する（ステップＳ３）。
【００１７】
本実施形態においては、発話音声に含まれるキーワードに応じて、番組コンテンツの検索条件を、キーワードが属する属性及び当該キーワードの組み合わせである「属性：キーワード」の形式で生成するものとする。
より詳細には、「属性」と「キーワード」は、番組コンテンツの情報を記述するためにあらかじめ定義された項目とその具体的な値である。例えば「属性」としては、「曜日」「時間」「ジャンル」「タイトル」「出演者」等が挙げられる。
【００１８】
また、「キーワード」は、「属性」のそれぞれに対して存在する。例えば属性「曜日」に対して「日曜」「月曜」「正月」「正月特番」等、属性「時間」に対して「朝」「昼」「夜」等が挙げられる。
本実施形態では、これらの属性とキーワードの組み合わせが、ＥＰＧなど番組コンテンツの情報を記述したコンテンツＤＢ１３から取得され、検索条件辞書３３に格納されている。
【００１９】
検索条件生成部３４として機能するＭＰＵ２１は、前述した部分音声認識結果「日曜の夜の」というテキストデータの入力に対して検索条件辞書３３を参照し、検索条件「曜日：日曜」「時間：夜」を生成する。
また、他の部分音声認識結果「バラエティで」というテキストデータに対して検索条件「ジャンル：バラエティ」を生成する。
【００２０】
ここで、部分音声認識結果から検索条件を生成できない場合もある。例えば、部分音声認識結果「えーと」というテキストデータの入力に対しては、該当するキーワードが検索条件辞書３３に記述されていないため、検索条件を生成しない。
【００２１】
以上の説明のように本実施形態では、属性とキーワードとが対になっていることを前提として処理を行っている。しかしながら、属性を付与せずに、キーワードのみが任意の属性に対して検索条件の一部となるようにすることも可能である。
次にＭＰＵ２１は、新たな検索条件が生成されたか否かを判別する（ステップＳ４）。
【００２２】
ステップＳ４の判別において、未だ新たな検索条件が生成されていない場合には（ステップＳ４；Ｎｏ）、処理を再びステップＳ２に移行し、続いて逐次音声認識処理を実行することとなる（ステップＳ２）。
【００２３】
一方、ステップＳ４の判別において、新たな検索条件が生成された場合には（ステップＳ４；Ｙｅｓ）、すなわち、検索条件生成部３４として機能するＭＰＵ２１が新たな検索条件を生成した場合には、ＭＰＵ２１は、生成した検索条件を検索条件格納部３５として機能するＲＡＭ２３に格納する（ステップＳ５）。
例えば、検索条件「曜日：日曜」「時間：夜」が生成された場合は、ＭＰＵ２１は、それらの検索条件をＲＡＭ２３に格納する。
【００２４】
そして、ＭＰＵ２１は、検索条件「ジャンル：バラエティ」を新たに生成した場合は、当該検索条件を追加でＲＡＭ２３に格納する。
これら一連の動作により、検索条件格納部３５として機能するＲＡＭ２３には、その時点までに生成された検索条件の集合が格納される。
【００２５】
続いて、検索部３６として機能するＭＰＵ２１は、通信インタフェース部３０及び通信ネットワーク１２を介して、コンテンツＤＢ１３を参照する。
そして、検索部３６として機能するＭＰＵ２１は、検索条件格納部３５として機能するＲＡＭ２３に対する検索条件の追加に応じて、検索条件格納部３５に格納された検索条件の集合を用いて番組コンテンツを検索し、検索結果を更新する（ステップＳ６）。
【００２６】
本実施形態では、コンテンツＤＢ１３は、例えば、ＥＰＧ等に代表される番組コンテンツの情報を記述したデータベースである。そして、コンテンツＤＢ１３には、番組コンテンツごとに「属性」と、「キーワード」との、対応関係が記述されている。
【００２７】
続いて検索部３６として機能するＭＰＵ２１は、検索条件格納部３５として機能しているＲＡＭ２３に格納された検索条件の集合に応じて、コンテンツＤＢ１３に格納されている「属性」と「キーワード」を参照し、ＲＡＭ２３に格納されている検索条件の集合に合致する番組コンテンツの集合を検索結果とする。そして検索結果表示部３８として機能するＭＰＵ２１は、検索部３６が出力した検索結果をタッチパネルディスプレイ２８の表示画面に表示する（ステップＳ７）。
【００２８】
続いてＭＰＵ２１は、音声入力が終了したか否かを判別する（ステップＳ８）。
ステップＳ８の判別において、未だ音声入力が終了していない場合には（ステップＳ；Ｎｏ）、処理を再びステップＳ２に移行して、以下、同様の処理を行う。
ステップＳ８の判別において、音声入力が終了した場合には（ステップＳ；Ｙｅｓ）、処理を完了する。
【００２９】
ここで、検索結果の表示例について説明する。
図５は、タッチパネルディスプレイにおける検索結果の表示例（その１）の説明図である。
検索結果表示部３８として機能するＭＰＵ２１は、図５に示すように、その時点での検索条件の集合に合致するコンテンツのみを表示する。
【００３０】
図５（ａ）は、検索条件「曜日：日曜」、「時間：夜」が検索条件の集合としてＲＡＭ２３に格納されている時点における表示例である。
図５（ａ）に示すように、タッチパネルディスプレイ２８の表示画面は、検索条件表示領域２８Ａと、検索結果表示領域２８Ｂと、に分割されている。
【００３１】
この場合、検索条件表示領域２８Ａには、検索条件ＳＣ１＝「曜日：日曜」及び検索条件ＳＣ２＝「時間：夜」が表示されており、これらの二つの検索条件ＳＣ１、ＳＣ２により検索がなされたことがわかる。
そして、検索結果表示領域２８Ｂには、二つの検索条件ＳＣ１、ＳＣ２による検索結果として、少なくとも９個以上の検索結果ＳＲが表示されている。
【００３２】
この状態において、ユーザが検索結果表示領域２８Ｂに表示されている検索結果ＳＲ中に所望の番組コンテンツが含まれていることを見つけ、当該検索結果ＳＲをタッチして選択すると、当該検索結果ＳＲに対応する番組コンテンツをテレビ１１に表示するように、タブレット１４を、通信インタフェース部３０を用いた、いわゆるリモートコントロール装置として機能させることも可能である（以下、同様）。
【００３３】
図５（ｂ）は、検索条件「曜日：日曜」、「時間：夜」に加えて検索条件「ジャンル：バラエティ」が検索条件の集合としてＲＡＭ２３に格納された時点における表示例である。
【００３４】
図５（ｂ）に示すように、タッチパネルディスプレイ２８の表示画面の検索条件表示領域２８Ａには、検索条件ＳＣ１＝「曜日：日曜」、検索条件ＳＣ２＝「時間：夜」及び検索条件ＳＣ３＝「ジャンル：バラエティ」が表示されており、これらの三つの検索条件ＳＣ１〜ＳＣ３により検索がなされたことがわかる。
【００３５】
そして、検索結果表示領域２８Ｂには、三つの検索条件ＳＣ１〜ＳＣ３による検索結果として、６個の検索結果ＳＲが表示されている。
図５（ｃ）は、検索条件「曜日：日曜」、「時間：夜」、「ジャンル：バラエティ」に加えて検索条件「出演者：○○△△」が検索条件の集合としてＲＡＭ２３に格納された時点における表示例である。
【００３６】
図５（ｃ）に示すように、タッチパネルディスプレイ２８の表示画面の検索条件表示領域２８Ａには、検索条件ＳＣ１＝「曜日：日曜」、検索条件ＳＣ２＝「時間：夜」、検索条件ＳＣ３＝「ジャンル：バラエティ」及び検索条件ＳＣ４＝「出演者：○○△△」が表示されており、これらの四つの検索条件ＳＣ１〜ＳＣ４により検索がなされたことがわかる。
【００３７】
そして、検索結果表示領域２８Ｂには、四つの検索条件ＳＣ１〜ＳＣ４による検索結果として、２個の検索結果ＳＲ１、ＳＲ２が表示されている。
【００３８】
以上の説明のように、タッチパネルディスプレイにおける検索結果の表示例（その１）によれば、検索条件が順次増加して、検索結果を絞り込んで、絞り込んだ検索結果のみを表示する態様によれば、ユーザの発話内容に応じて検索結果を素早く知ることができ、快適な検索が行える。
【００３９】
また、発話の途中（例えば、図５（ｂ）の画面が表示された時点）で、目的の番組コンテンツが検索結果として表示された場合に、当該検索結果を選択するタップ操作等を行うことにより、テレビ１１においてコンテンツを再生することができ、検索の簡易化及び高速化が図れる。
【００４０】
さらに検索途中の段階においては、目的外の番組コンテンツも表示されるので、類似するコンテンツを認識することができ、思いがけない発見などによる検索の喜びを感じることもできる。
【００４１】
図６は、タッチパネルディスプレイにおける検索結果の表示例（その２）の説明図である。
検索結果表示部３８として機能するＭＰＵ２１は、図６に示すように、その時点での検索条件の集合に合致するコンテンツをより目立つように表示するとともに、それ以前の検索結果についてもより近い検索結果（検索結果履歴）を表示する。
【００４２】
図６（ａ）は、検索条件「曜日：日曜」、「時間：夜」が検索条件の集合としてＲＡＭ２３に格納されている時点における表示例である。
図６（ａ）に示すように、タッチパネルディスプレイ２８の表示画面は、検索条件表示領域２８Ａと、検索結果表示領域２８Ｂと、に分割されている。
【００４３】
この場合、検索条件表示領域２８Ａには、検索条件ＳＣ１＝「曜日：日曜」及び検索条件ＳＣ２＝「時間：夜」が表示されており、これらの二つの検索条件ＳＣ１、ＳＣ２により検索がなされたことがわかる。
そして、検索結果表示領域２８Ｂには、二つの検索条件ＳＣ１、ＳＣ２による検索結果として、少なくとも９個以上の検索結果ＳＲが表示されている。
【００４４】
図６（ｂ）は、検索条件「曜日：日曜」、「時間：夜」に加えて検索条件「ジャンル：バラエティ」が検索条件の集合としてＲＡＭ２３に格納された時点における表示例である。
図６（ｂ）に示すように、タッチパネルディスプレイ２８の表示画面の検索条件表示領域２８Ａの上部には、追加された新たな検索条件ＳＣ１１＝「ジャンル：バラエティ」が表示され、検索条件の履歴である検索条件ＳＣ１＝「曜日：日曜」及び検索条件ＳＣ２＝「時間：夜」が下部に表示されている。これにより、ユーザは、新たな絞込検索条件は、検索条件ＳＣ１１＝「ジャンル：バラエティ」であることが、検索条件表示領域２８Ａを見ただけで容易に把握することができるとともに、検索条件ＳＣ１１及び検索条件ＳＣ１、ＳＣ２の三つの検索条件により検索がなされたことがわかる。
【００４５】
そして、検索結果表示領域２８Ｂには、三つの検索条件ＳＣ１１、ＳＣ１、ＳＣ２による検索結果として、６個の検索結果ＳＲ１が表示されているとともに、最初の検索条件である二つのの検索条件ＳＣ１、ＳＣ２による検索結果のうち、より優先順位の低い検索結果である４個以上の検索結果ＳＲが検索結果ＳＲ１よりも小さめに表示され、検索結果としてより優先順位が低いことが視覚的に容易に把握できるようになっている。
【００４６】
図６（ｃ）は、検索条件「曜日：日曜」、「時間：夜」、「ジャンル：バラエティ」に加えて検索条件「出演者：○○△△」が検索条件の集合としてＲＡＭ２３に格納された時点における表示例である。
【００４７】
図６（ｃ）に示すように、タッチパネルディスプレイ２８の表示画面の検索条件表示領域２８Ａの上部には、追加された新たな検索条件ＳＣ２１＝「出演者：○○△△」が表示され、検索条件の履歴である検索条件ＳＣ１１＝「ジャンル：バラエティ」、検索条件ＳＣ１＝「曜日：日曜」及び検索条件ＳＣ２＝「時間：夜」が下部に表示されている。これにより、ユーザは、新たな絞込検索条件は、検索条件ＳＣ２１＝「出演者：○○△△」であることが、検索条件表示領域２８Ａを見ただけで容易に把握することができるとともに、検索条件ＳＣ２１及び検索条件ＳＣ１１、ＳＣ１、ＳＣ２の四つの検索条件により検索がなされたことがわかる。
【００４８】
そして、検索結果表示領域２８Ｂには、四つの検索条件ＳＣ２１、ＳＣ１１、ＳＣ１、ＳＣ２による検索結果として、２個の検索結果ＳＲ２が表示されているとともに、前回までの絞込検索条件である三つの検索条件ＳＣ１１、ＳＣ１、ＳＣ２による検索結果のうち、より優先順位の低い検索結果である４個の検索結果ＳＲ１及び４個以上の検索結果ＳＲが検索結果ＳＲ２よりも全て小さめに表示され、検索結果としてより優先順位が低いことが視覚的に容易に把握できるようになっている。
【００４９】
以上の説明のように、タッチパネルディスプレイにおける検索結果の表示例（その２）によれば、検索条件が順次増加して、検索結果を絞り込んで、絞り込んだ検索結果のみを表示する態様によれば、ユーザの発話内容に応じて検索結果を素早く知ることができ、快適な検索が行える。
【００５０】
また、発話の途中（例えば、図５（ｂ）の画面が表示された時点）で、目的の番組コンテンツが検索結果として表示された場合に、当該検索結果を選択するタップ操作等を行うことにより、テレビ１１においてコンテンツを再生することができ、検索の簡易化及び高速化が図れる。
【００５１】
さらに目的外の優先順位の低い番組コンテンツもより優先順位の高い最新の絞り込み結果に加えて表示されるので、類似するコンテンツを認識することができ、思いがけない発見などによる検索の喜びを感じることもできる。
【００５２】
図７は、タッチパネルディスプレイにおける検索結果の表示例（その３）の説明図である。
検索結果表示部３８として機能するＭＰＵ２１は、タッチパネルディスプレイ２８における検索結果の表示例（その２）の場合と同様、図７に示すように、その時点での検索条件の集合に合致するコンテンツをより目立つように表示するとともに、それ以前の検索結果についてもより近い検索結果（検索結果履歴）を表示する。
【００５３】
図７（ａ）は、検索条件「曜日：日曜」、「時間：夜」が検索条件の集合としてＲＡＭ２３に格納されている時点における表示例であるが、図６（ａ）と同様であるので、その詳細な説明を援用する。
図７（ｂ）は、検索条件「曜日：日曜」、「時間：夜」に加えて検索条件「ジャンル：バラエティ」が検索条件の集合としてＲＡＭ２３に格納された時点における表示例である。
【００５４】
図７（ｂ）に示すように、タッチパネルディスプレイ２８の表示画面の検索条件表示領域２８Ａの上部には、追加された新たな検索条件ＳＣ１１＝「ジャンル：バラエティ」が表示され、検索条件の履歴である検索条件ＳＣ１＝「曜日：日曜」及び検索条件ＳＣ２＝「時間：夜」が下部に表示されている。
さらに絞り込み前の検索条件を明確に示すために、検索条件の履歴である検索条件ＳＣ１＝「曜日：日曜」及び検索条件ＳＣ２＝「時間：夜」については、枠ＦＲ１１により囲むように表示している。
【００５５】
これらにより、ユーザは、新たな絞込検索条件は、検索条件ＳＣ１１＝「ジャンル：バラエティ」であることが、検索条件表示領域２８Ａを見ただけで容易に把握することができるとともに、検索条件ＳＣ１１及び検索条件ＳＣ１、ＳＣ２の三つの検索条件により検索がなされたことがわかる。
【００５６】
そして、検索結果表示領域２８Ｂには、三つの検索条件ＳＣ１１、ＳＣ１、ＳＣ２による検索結果として、６個の検索結果ＳＲ１が表示されているとともに、最初の検索条件である二つのの検索条件ＳＣ１、ＳＣ２による検索結果のうち、より優先順位の低い検索結果である４個以上の検索結果ＳＲが検索結果ＳＲ１よりも小さめに表示されるとともに、絞込後の検索結果を明確に示すために、検索結果ＳＲ１については、枠ＦＲ２１により囲むように表示している。
【００５７】
これらの結果、検索結果ＳＲが検索結果ＳＲ１と比較して、検索結果としてより優先順位が低いことが視覚的に容易に把握できるようになっている。
【００５８】
図７（ｃ）は、検索条件「曜日：日曜」、「時間：夜」、「ジャンル：バラエティ」に加えて検索条件「出演者：○○△△」が検索条件の集合としてＲＡＭ２３に格納された時点における表示例である。
【００５９】
図７（ｃ）に示すように、タッチパネルディスプレイ２８の表示画面の検索条件表示領域２８Ａの上部には、追加された新たな検索条件ＳＣ２１＝「出演者：○○△△」が表示され、検索条件の履歴である検索条件ＳＣ１１＝「ジャンル：バラエティ」、検索条件ＳＣ１＝「曜日：日曜」及び検索条件ＳＣ２＝「時間：夜」が下部に表示されている。
【００６０】
さらに絞り込み前の検索条件を明確に示すために、検索条件の履歴である検索条件ＳＣ１＝「曜日：日曜」及び検索条件ＳＣ２＝「時間：夜」については、枠ＦＲ１１により囲むように表示し、検索条件ＳＣ１１＝「ジャンル：バラエティ」については、枠ＦＲ１２により囲むように表示し、検索条件ＳＣ２１＝「出演者○○××」については、枠ＦＲ１３により囲むよう表示している。
【００６１】
これらにより、ユーザは、新たな絞込検索条件は、検索条件ＳＣ２１＝「出演者：○○△△」であることが、検索条件表示領域２８Ａを見ただけで容易に把握することができるとともに、検索条件ＳＣ２１及び検索条件ＳＣ１１、ＳＣ１、ＳＣ２の四つの検索条件により検索がなされたことがわかる。
【００６２】
そして、検索結果表示領域２８Ｂには、四つの検索条件ＳＣ２１、ＳＣ１１、ＳＣ１、ＳＣ２による検索結果として、２個の検索結果ＳＲ２が表示されているとともに、前回までの絞込検索条件である三つの検索条件ＳＣ１１、ＳＣ１、ＳＣ２による検索結果のうち、より優先順位の低い検索結果である４個の検索結果ＳＲ１及び４個以上の検索結果ＳＲが検索結果ＳＲ２よりも全て小さめに表示されるとともに、絞込後の検索結果を明確に示すために、検索結果ＳＲ２については、枠ＦＲ２２により囲み、検索結果ＳＲ１については、枠ＦＲ２１により＋囲み、検索結果ＳＲ２については枠ＦＲ２３により囲むように表示している。なお、検索条件毎に異なる色で枠を表示するとともに、互いに対応する検索条件と検索結果とを同一色の枠で囲むように表示しても良い。
【００６３】
これらの結果、他の検索結果ＳＲ１、ＳＲは、検索結果ＳＲ２と比較して、検索結果としてより優先順位が低いことが視覚的に容易に把握できるようになっている。
【００６４】
以上の説明のように、タッチパネルディスプレイにおける検索結果の表示例（その３）によれば、タッチパネルディスプレイにおける検索結果の表示例（その２）の効果に加えて、より明確に優先順位の高い検索結果及び対応する検索条件を把握することができる。
【００６５】
以上の三つの表示例は、単純に絞り込み検索を行う場合のものであったが、発話の途中で検索条件が変わったり、後で言い直したりされることで検索条件自体が変更される場合がある。
【００６６】
図８は、タッチパネルディスプレイにおける検索結果の表示例（その４）の説明図である。
図８においては、ユーザの発話途中で検索条件が切り替わる場合について説明する。
以下においては、ユーザの発話音声が「スタートレックのピカードの人が出ている映画」であった場合を例として説明する。
【００６７】
逐次音声認識部３２として機能するＤＳＰ２５は、発話音声の先頭から音声認識処理を順次実行し、発話音声の入力が進むのに応じて部分音声認識結果「スタートレックの」「ピカードの人」「が出ている」「映画」を逐次出力する。
これにより検索条件生成部３４として機能するＭＰＵ２１は、ＲＯＭ２２あるいはフラッシュＲＯＭ２４に記憶されている検索条件辞書３３を参照し、入力された部分音声認識結果であるテキストデータを解析して検索条件を逐次的に生成する。
【００６８】
そして、ユーザが最初に「スタートレックの」と発話した時点では「スタートレックについて検索したいのだろう」と本実施形態のタブレット１４のＭＰＵ２１は判断することとなり、「タイトル：スタートレック」で検索を行う。
【００６９】
この結果、図８（ａ）に示すように、タッチパネルディスプレイ２８の表示画面には、検索条件ＳＣ１の「スタートレック」が表示されるとともに、複数の検索結果ＳＲが表示されることとなる。
【００７０】
その後、ユーザにより、「ピカードの人」まで発話されたところで、タブレット１４のＭＰＵ２１は、「スタートレックでピカード役を演じた俳優」について検索したいと判断し、検索処理を実行する。
【００７１】
この結果「Ｐ．スチュワート」がピカード役であることが検索結果として取得され、図８（ｂ）に示すように、新たな検索条件ＳＣ２の「ピカード役（Ｐ．スチュワート）」がタッチパネルディスプレイ２８の表示画面に表示されるとともに、複数（図８（ｂ）では３個）の検索結果ＳＲ１が表示されることとなる。この時点においては、複数の検索結果ＳＲ１は、優先順位が同一であるので同じ大きさでタッチパネルディスプレイ２８の表示画面に表示されている。
しかしながら、その次に「が出てる」まで発話されると「タイトル：スタートレック」での検索結果ではなく「出演者：Ｐ．スチュワート」であるコンテンツを検索したいことが判別される。
【００７２】
このため、検索部３６として機能するＭＰＵ２１は、最初の「スタートレック」の検索をこの段階で終了し、「Ｐ．スチュワート」を検索条件とする検索を実行し、図８（ｃ）に示すように、タッチパネルディスプレイ２８の表示画面に検索結果を表示する。
すなわち、タッチパネルディスプレイ２８の表示画面においては、「ピカード役（Ｐ．スチュワート）」を検索条件とする検索結果ＳＲ２がより優先順位が高いことを示すために、「スタートレック」を検索条件とする検索結果ＳＲ１よりも大きく（相対的に検索結果ＳＲを小さく）表示する。
【００７３】
図８（ｃ）の例においては、「スタートレック」の検索条件に対応する検索結果ＳＲ１を同時に表示しているが、検索結果ＳＲ１を消去したり、より目立たない表示態様とすることも可能である。
さらに「の映画」まで発話されると、検索部３６として機能するＭＰＵ２１は、これは絞り込み検索に相当するので、「Ｐ．スチュワート」が含まれる映画コンテンツに絞り込みを行って、図８（ｄ）に示すように表示を行う。
【００７４】
すなわち、タッチパネルディスプレイ２８の表示画面においては、検索条件＝「ピカード役（Ｐ．スチュワート）」＆「映画」に対応する検索結果ＳＲ３及び検索条件＝「ピカード役（Ｐ．スチュワート）」の検索結果ＳＲ２のうち、検索条件「映画」を満たす検索結果ＳＲ２１がより優先順位が高いことを示すために、「スタートレック」を検索条件とする検索結果ＳＲ１および検索条件＝「ピカード役（Ｐ．スチュワート）」の検索結果ＳＲ２のうち、検索条件「映画」を満たさない検索結果ＳＲ２よりも大きく（相対的に検索結果ＳＲ及び検索結果ＳＲ２を小さく）表示する。
【００７５】
以上の説明のように、ユーザの発話途中で検索条件が切り替わる場合であっても発話内容に応じて検索条件を逐次切り替えることができ、人間を対象とした会話と同様の発話で容易に検索を行うことが可能となる。
【００７６】
図９は、タッチパネルディスプレイにおける検索結果の表示例（その５）の説明図である。
図８においては、ユーザの発話途中で検索条件が切り替わる場合に、自動的に切り替わりを検出する場合について説明したが、図９は、検索条件の一部をユーザが意図的に変更する場合について説明する。
【００７７】
第１の手法としては、発話だけで「ピカード役じゃなくてカーク船長役」と発話することが考えられる。この場合、これまでの発話中で「カーク船長役」に置き換えられるのは同じ役名である「ピカード役」だけであるので、「Ｐ・スチュワート」ではなく，「カーク船長役」の俳優を検索して得られる結果の「Ｗ．シャトナー」が出演する映画を検索し，その結果を表示することとなる。
【００７８】
第２の手法としては、タッチパネルディスプレイ２８のタッチ操作を生かして、置き換え対象の検索条件をユーザが指し示して特定することが考えられる。
図９（ａ）は、図８と同様の発話を行った後、ユーザが「ピカード」役の俳優ではなく「カーク船長」役の俳優で検索したかったことに気付いた場合に置き換え対象の検索条件をユーザが指し示して特定する操作例の説明図である。
【００７９】
図９（ａ）においては、置き換え対象の検索条件をユーザの指ＦＧによりタッチして、特定している。
そして、この状態で発話内容ＳＰ＝「カーク船長」と発話することで、図９（ｂ）に示すように、検索条件ＳＣ２＝「ピカード役」を検索条件ＳＣ２１＝「カーク船長役（Ｗ．シャトナー）」に置き換えられる。
【００８０】
この結果、検索結果も検索条件ＳＣ２＝「ピカード役」の検索結果ＳＲ２から検索条件ＳＣ２１＝「カーク船長役（Ｗ．シャトナー）」の検索結果ＳＲ３に変更される。なお、検索条件ＳＣ１＝「スタートレック」の検索結果ＳＲについても内容についても変更される可能性がある。
【００８１】
以上の説明は、置換対象の検索条件の指定を指ＦＧで行う場合であったが、マウスやペン、カメラなどユーザによる指示内容を特定できるデバイスがある場合には画面上に表示された「ピカード」を指し示しながら「カーク船長」と発話することで置き換えることも可能である。
【００８２】
図１０は、検索途中で、再生操作に移行させる移行操作の一例の説明図である。
図１０は、検索条件ＳＣ１＝「スタートレック」及び検索条件ＳＣ２＝「ピカード役」と設定された場合の検索結果ＳＲ１、ＳＲ１１及び検索条件ＳＣ１＝「スタートレック」と設定された場合の検索結果ＳＲが同時に表示されている状態である。
この状態において検索結果ＳＲ１１が所望の番組コンテンツであった場合には、図１０に示すように、検索結果ＳＲ１１をユーザの指ＦＧによりタッチして、特定している。
そして、この状態で発話内容ＳＰ＝「あっ、これこれ」のように検索を終了する旨を表す内容を発話することで、テレビ１１において検索結果ＳＲ１１に対応する番組コンテンツを再生することができ、再生操作の簡易化及び高速化が図れる。
【００８３】
図１１は、表示内容の更新態様（その１）の説明図である。
図１１（ａ）は、検索条件ＳＣ１＝「Ｐ．スチュワートが出ている」（番組）と設定された場合の検索結果ＳＲ１〜ＳＲ６がタッチパネルディスプレイ２８の表示画面に表示された場合のものである。
【００８４】
この状態において、第２の検索条件ＳＣ２＝「映画」と設定されると、図１１（ｂ）に示すように、第２の検索条件ＳＣ２＝「映画」に該当する検索結果ＳＲ１、ＳＲ４、ＳＲ６のみがそのままの大きさで表示され、他の検索結果ＳＲ２、ＳＲ３、ＳＲ５が相対的に小さく表示され、優先順位が低いことを明確に示している。
この結果、ユーザは、所望の検索結果をより容易に把握することができる。
【００８５】
図１２は、表示内容の更新態様（その２）の説明図である。
図１２（ａ）は、検索条件ＳＣ１＝「Ｐ．スチュワートが出ている」（番組）と設定された場合の検索結果ＳＲ１〜ＳＲ６がタッチパネルディスプレイ２８の表示画面に表示された場合のものである。
【００８６】
この状態において、第２の検索条件ＳＣ２＝「映画」と設定されると、図１２（ｂ）に示すように、第２の検索条件ＳＣ２＝「映画」に該当する検索結果ＳＲ１、ＳＲ４、ＳＲ６のみがそのままの大きさで表示され、他の検索結果ＳＲ２、ＳＲ３、ＳＲ５が相対的に淡い表示とされ、比較的見づらく表示されて、優先順位が低いことを明確に示している。
【００８７】
この結果、ユーザは、所望の検索結果をより容易に把握することができる。
同様に、検索結果ＳＲ１、ＳＲ４、ＳＲ６を強調表示するように構成することも可能である。
【００８８】
図１３は、表示内容の更新態様（その３）の説明図である。
本表示内容の更新態様では、検索結果をアニメーション表示するとともに、その配置を優先順位に従って、絞り込み前後で移動させる場合のものである。
図１３（ａ）は、検索条件ＳＣ１＝「Ｐ．スチュワートが出ている」（番組）と設定された場合の検索結果ＳＲ１〜ＳＲ６がタッチパネルディスプレイ２８の表示画面に表示された場合のものである。
【００８９】
この状態において、第２の検索条件ＳＣ２＝「映画」と設定されると、図１３（ｂ）に示すように、一旦、検索結果ＳＲ１〜ＳＲ６のサイズが小さくなって、タッチパネルディスプレイ２８の表示画面内を検索結果ＳＲ１〜ＳＲ６がそれぞれ移動を行う。
【００９０】
そして、右より左、下より上がより優先順位が高い配置として、検索結果ＳＲ１〜ＳＲ６がそれぞれ移動を完了する。
すなわち、第２の検索条件ＳＣ２＝「映画」に該当する検索結果ＳＲ１、ＳＲ４、ＳＲ６は、左上側に集まり、その他の検索結果ＳＲ２、ＳＲ３、ＳＲ５が相対的に右下側に集まって、最終的には元のサイズとなる。
【００９１】
この結果、ユーザは、所定の位置（図１３の例では、より左上側）に位置している検索結果が、ユーザの所望の検索結果であることを容易に把握することができる。
【００９２】
図１４は、表示内容の更新態様（その４）の説明図である。
本表示内容の更新態様では、表示されている検索結果とともに、対応する検索条件を表示するとともに、該当する検索条件が少ない検索結果については、サイズを小さくして表示する場合のものである。
【００９３】
図１４（ａ）は、検索条件ＳＣ１＝「Ｐ．スチュワート」（番組）と設定された場合の検索結果ＳＲ１〜ＳＲ６がタッチパネルディスプレイ２８の表示画面に表示された場合のものである。
この場合においては、全ての検索結果ＳＲ１〜ＳＲ６が検索条件ＳＣ１を満たしているので、全て同じサイズで、近傍に当該検索条件ＳＣ１が表示されている。
【００９４】
この状態において、第２の検索条件ＳＣ２＝「映画」と設定されると、図１４（ｂ）に示すように、検索条件ＳＣ１＝「Ｐ．スチュワート」及び検索条件ＳＣ２＝「映画」を満たしている、検索結果ＳＲ１、ＳＲ４、ＳＲ６は、そのままのサイズで表示されるとともに、近傍に当該検索条件ＳＣ１及び検索条件ＳＣ２が表示されている。
【００９５】
これに対し、検索条件ＳＣ２＝「映画」を満たさない検索結果ＳＲ２、ＳＲ３、ＳＲ５は、優先順位が低い検索結果であることを示すために、サイズが小さく表示されるとともに、近傍に当該検索条件ＳＣ１のみが表示されている。
この結果、ユーザは、より大きなサイズで表示されており、検索条件の表示が多い検索結果が、ユーザの所望の検索結果であることを容易に把握することができる。
【００９６】
図１５は、表示内容の更新態様（その５）の説明図である。
図１５（ａ）は、検索条件ＳＣ１＝「Ｐ．スチュワートが出ている」と設定され、かつ、検索条件ＳＣ２＝「映画」が設定された場合の検索結果ＳＲ１〜ＳＲ６がタッチパネルディスプレイ２８の表示画面に表示された場合のものである。
【００９７】
すなわち、第１の検索条件ＳＣ１＝「Ｐ．スチュワートが出ている」を満たすとともに、第２の検索条件ＳＣ２＝「映画」を満たす検索結果ＳＲ１、ＳＲ４、ＳＲ６は元の大きさで表示され、他の検索結果ＳＲ２、ＳＲ３、ＳＲ５が相対的に小さい表示とされ、優先順位が低いことを示している。
【００９８】
この状態において、第１の検索条件ＳＣ１＝「Ｐ．スチュワートが出ている」に代えて、第３の検索条件ＳＣ３＝「Ｗ．シャトナーが出ている」とした場合には、設定前に既に縮小表示となっていた他の検索結果ＳＲ２、ＳＲ３、ＳＲ５であって、第３の検索条件ＳＣ３＝「Ｗ．シャトナーが出ている」を満たしていない検索結果については、新たな検索結果ＳＲ１１〜ＳＲ１３で置き換える。
【００９９】
また、設定前には縮小表示となっていなかった検索結果、すなわち、第１の検索条件ＳＣ１＝「Ｐ．スチュワートが出ている」を満たすとともに、第２の検索条件ＳＣ２＝「映画」を満たす検索結果ＳＲ１、ＳＲ４、ＳＲ６であって、第３の検索条件ＳＣ３＝「Ｗ．シャトナーが出ている」を満たしていない検索結果ＳＲ１、ＳＲ６については、相対的に小さい表示とされ、優先順位が低いことを示す状態となる。
この結果、ユーザは、全ての検索条件を満たす所望の検索結果をより容易に把握することができる。
【０１００】
図１６は、表示内容の更新態様（その６）の説明図である。
図１６（ａ）は、検索条件ＳＣ１＝「Ｐ．スチュワートが出ている」と設定され、かつ、検索条件ＳＣ２＝「映画」が設定された場合の検索結果ＳＲ１〜ＳＲ６がタッチパネルディスプレイ２８の表示画面に表示された場合のものである。
【０１０１】
すなわち、第１の検索条件ＳＣ１＝「Ｐ．スチュワートが出ている」を満たすとともに、第２の検索条件ＳＣ２＝「映画」を満たす検索結果ＳＲ１、ＳＲ４、ＳＲ６は元の大きさで表示され、他の検索結果ＳＲ２、ＳＲ３、ＳＲ５が相対的に小さい表示とされ、優先順位が低いことを示している。
【０１０２】
この状態において、第１の検索条件ＳＣ１＝「Ｐ．スチュワートが出ている」に代えて、第３の検索条件ＳＣ３＝「Ｗ．シャトナーが出ている」とした場合には、タッチパネルディスプレイ２８の表示画面を２分割し、第１の表示領域２８−１には、元の検索結果ＳＲ１〜ＳＲ６を表示するとともに、第３の検索条件ＳＣ３＝「Ｗ．シャトナーが出ている」を満たしている検索結果ＳＲ４以外の検索結果ＳＲ１〜ＳＲ３、ＳＲ５、ＳＲ６については、相対的により小さい表示とされ、優先順位が低いことを示す状態となる。
【０１０３】
一方、第２の表示領域２８−２には、第１の検索条件ＳＣ１＝「Ｐ．スチュワートが出ている」、第２の検索条件ＳＣ２＝「映画」及び第３の検索条件ＳＣ３＝「Ｗ．シャトナーが出ている」の全てを満たす新たな検索結果ＳＲ１１〜ＳＲ１４を標準のサイズで表示する。
この結果、ユーザは、より大きなサイズで表示されている検索結果が、ユーザの所望の検索結果であることを容易に把握することができる。
【０１０４】
図１７は、表示内容の更新態様（その７）の説明図である。
本表示内容の更新態様は、既に入力されていた検索条件を新たな検索条件に変更した場合には、変更された新たな検索条件がより重要とされ、変更されなかった検索条件よりも優先順位が高いものとして扱う場合のものである。
図１７（ａ）は、検索条件ＳＣ１＝「Ｐ．スチュワートが出ている」と設定され、かつ、検索条件ＳＣ２＝「映画」が設定された場合の検索結果ＳＲ１〜ＳＲ６がタッチパネルディスプレイ２８の表示画面に表示された場合のものである。
【０１０５】
すなわち、第１の検索条件ＳＣ１＝「Ｐ．スチュワートが出ている」を満たすとともに、第２の検索条件ＳＣ２＝「映画」を満たす検索結果ＳＲ１、ＳＲ４、ＳＲ６は元のサイズ（標準サイス）で表示され、他の検索結果ＳＲ２、ＳＲ３、ＳＲ５が相対的に小さいサイズの表示とされ、優先順位が低いことを示している。
【０１０６】
この状態において、第１の検索条件ＳＣ１＝「Ｐ．スチュワートが出ている」に代えて、第３の検索条件ＳＣ３＝「Ｗ．シャトナーが出ている」とした場合には、この新たに入力された第３の検索条件ＳＣ３＝「Ｗ．シャトナーが出ている」が変更されていない第２検索条件ＳＣ２＝「映画」よりも重要であるとみなし、第３の検索条件ＳＣ３＝「Ｗ．シャトナーが出ている」をタッチパネルディスプレイ２８の表示画面上で強調表示するようにしている。
【０１０７】
そして、第２の検索条件ＳＣ２＝「映画」及び第３の検索条件ＳＣ３＝「Ｗ．シャトナーが出ている」を満たさない、検索結果ＳＲ２、ＳＲ３、ＳＲ５については、第２の検索条件ＳＣ２＝「映画」及び第３の検索条件ＳＣ３＝「Ｗ．シャトナーが出ている」を満たす新たな検索結果ＳＲ１１〜ＳＲ１２を標準のサイズで表示する。
【０１０８】
さらに検索結果件数が少ない場合には、第３の検索条件ＳＣ３＝「Ｗ．シャトナーが出ている」が変更されていない第２検索条件ＳＣ２＝「映画」よりも重要であるとみなして、第３の検索条件ＳＣ３＝「Ｗ．シャトナーが出ている」を満たすが、第２検索条件ＳＣ２＝「映画」を満たしていない、Ｗ．シャトナーが出ている「ドラマ」の検索結果である検索結果ＳＲ２１を表示する。
この結果、ユーザは、強調表示されている検索条件を満たし、より大きなサイズで表示されている検索結果が、ユーザの所望の検索結果であることを容易に把握することができる。
【０１０９】
また、上記では逐次音声認識部３２として機能するＤＳＰ２５は、発話音声の先頭から音声認識処理を順次実行し、発話音声の入力が進むのに応じて部分音声認識結果「スタートレックの」「ピカードの人」「が出ている」「映画」が正しく逐次出力する前提で記載したが、音声認識方式によっては、発話途中では正しい単語が出力されず、後から修正される場合も考えられる。例えば、「スタートレック」だけ発話した時点では、前後のつながりまで分からないため、音声認識結果を誤り「ウィザウトトレース」と認識することが考えられる。この場合、本実施形態では「タイトル：ウィザウトトレース」が最初に認識・検索されることになる。その後、「ピカード」まで発話した段階で、前後の単語のつながりから最初の単語が「スタートレック」と認識結果が修正される。この場合、「タイトル：ウィザウトトレース」を「タイトル：スタートレック」と修正した上で前述のような検索内容の更新が行われる。
【０１１０】
以上の説明においては、タブレットがコンテンツ検索装置として機能する場合のものであったが、タブレット等の情報処理装置とインターネットなどの通信ネットワークを介して接続されたサーバ装置にコンテンツ検索装置の機能を実現させるように構成することも可能である。
あるいは、通信ネットワーク上に配置した複数のサーバ装置のそれぞれにコンテンツ検索装置の機能を分散させて実現するように構成することも可能である。
【０１１１】
本実施形態のコンテンツ検索装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１１２】
また、本実施形態のコンテンツ検索装置で実行される制御プログラムを、インターネット等のネットワークに接続されたコンピュータ上に格納し、ネットワーク経由でダウンロードさせることにより提供するように構成しても良い。また、本実施形態のコンテンツ検索装置で実行される制御プログラムをインターネット等のネットワーク経由で提供または配布するように構成しても良い。
【０１１３】
また、本実施形態のコンテンツ検索装置の制御プログラムを、ＲＯＭ等に予め組み込んで提供するように構成しても良い。
【０１１４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１５】
１０    コンテンツ検索システム
１１    テレビ（被制御機器）
１２    通信ネットワーク
１３    コンテンツデータベース
１４    タブレット（コンテンツ検索装置）
２１    ＭＰＵ（検索条件置換部）
２２    ＲＯＭ
２３    ＲＡＭ
２４    フラッシュＲＯＭ
２５    ＤＳＰ
２６    マイク
２７    オーディオインタフェース部
２８    タッチパネルディスプレイ（選択操作部、再生指示部、検索条件指定手段）
２８Ａ  検索条件表示領域
２８Ｂ  検索結果表示領域
２９    メモリカードリーダライタ
３０    通信インタフェース部
３１    音声入力部
３２    逐次音声認識部
３３    検索条件辞書
３４    検索条件生成部
３５    検索条件格納部
３６    検索部
３８    検索結果表示部
ＦＲ１１、ＦＲ１２、ＦＲ２１、ＦＲ２２  枠
ＳＣ１〜ＳＣ４、ＳＣ１１、ＳＣ１２    検索条件
ＳＲ、ＳＲ１〜ＳＲ６、ＳＲ１１〜ＳＲ１４、ＳＲ２１  検索結果（コンテンツ検索結果）
【図１】
2014109889.tif 000003
【図２】
2014109889.tif 000004
【図３】
2014109889.tif 000005
【図４】
2014109889.tif 000006
【図５】
2014109889.tif 000007
【図６】
2014109889.tif 000008
【図７】
2014109889.tif 000009
【図８】
2014109889.tif 000010
【図９】
2014109889.tif 000011
【図１０】
2014109889.tif 000012
【図１１】
2014109889.tif 000013
【図１２】
2014109889.tif 000014
【図１３】
2014109889.tif 000015
【図１４】
2014109889.tif 000016
【図１５】
2014109889.tif 000017
【図１６】
2014109889.tif 000018
【図１７】
2014109889.tif 000019